(57)【要約】【課題】上流管と下流管とをエルボを介して連結する場合に、上流管の開口部から下流管の開口部までの間に設けられる各々の直管寸法を配管サイズに応じて割り出すことができる配管寸法の割り出し具を提供する。【解決手段】１端部が上流側配管７に係合し長手方向に伸縮可能な第１連結棒２と、第１連結棒２と回動自在に連結され長手方向に伸縮可能な第２連結棒３と、第２連結棒３と回動自在に連結され他端部が下流側配管９に係合し長手方向に伸縮可能な第３連結棒４と、連結部１０に係止され第１連結棒２と第２連結棒３とを所定の角度をなすように固定する第１エルボゲージ１１と、連結部１２に係止され第２連結棒３と第３連結棒４とを所定の角度をなすように固定する第２エルボゲージ１３とを備え、第１エルボゲージ１１と第２エルボゲージ１３とにはエルボに差し込まれた直管端面の位置を示す目印である溝部２５ａ，２５ｂ，２５ｃが設けられている。【選択図】図１
2014015993.tif 000002
【特許請求の範囲】
【請求項１】
中心軸線が互いに交差する上流側配管と下流側配管とをエルボを介して直管で接続する配管において、接続される前記直管の長さを割り出すために用いられる配管寸法の割り出し具であって、
先端部が上流側配管の端部に接合され長手方向に伸縮可能な第１連結棒と、一端部が第１連結棒の連結端部と屈曲自在に連結され長手方向に伸縮可能な第２連結棒と、連結端部が第２連結棒の他端部と屈曲自在に連結されるとともに先端部が下流側配管に接合され長手方向に伸縮可能な第３連結棒とを備え、さらに
第１連結棒と第２連結棒との連結部に取り付けられ第１連結棒と第２連結棒とを第１の所定の角度をなすように固定する第１エルボゲージと、第２連結棒と第３連結棒との連結部に取り付けられ第２連結棒と第３連結棒とを第２の所定の角度をなすように固定する第２エルボゲージとを備え、
第１エルボゲージと第２エルボゲージとにはエルボに差し込まれる直管の端部の位置を示す目印が設けられていることを特徴とする配管寸法の割り出し具。
【請求項２】
目印は配管のサイズ毎に設けられていることを特徴とする請求項１に記載の配管寸法の割り出し具。
【請求項３】
前記目印はメジャーの先端部が係止可能な溝部であることを特徴とする請求項１または２に記載の配管寸法の割り出し具。
【発明の詳細な説明】
【技術分野】
【０００１】
本発明は、同一平面上にあり軸心が交差する上流側配管と下流側配管との間をエルボを介して連結するときに設置される直管の寸法を割り出す配管寸法の割り出し具に関する。
【背景技術】
【０００２】
特許文献１には、軸心が平行な上流管と下流管とを４５°エルボを介して斜めに連結するときに設置される直管の寸法を割り出すための管寸法読み取り器具が記載されている。管寸法読み取り器具は、本体と一体に設けられたメートル尺と、メートル尺の目盛を１／√２に縮小した√２尺とを備えており、√２尺には、４５°エルボに嵌め込まれる直管の端面から４５°エルボ中心までの距離の２倍の数値が呼径毎に目盛られている。作業者は上流管と下流管との間隔をメートル尺で読み、それに対応する√２尺の数値を読む。√２尺の数値から、４５°エルボに嵌め込まれる直管の端面から４５°エルボ中心までの距離の２倍の数値を、差し引いて直管寸法が割り出される。
【０００３】
特許文献２には、上流管と下流管とを４５°エルボを介して接続するときに設置される直管の寸法を割り出す配管芯出し具が記載されている。配管芯出し具は、第１頭部，第２頭部と、第１頭部と第２頭部とを伸縮自在に連結する伸縮軸とを備えている。作業者は、第１頭部と第２頭部とを各々４５°エルボに嵌め込み、伸縮軸を伸縮させながら第１頭部と第２頭部とを嵌め込んだ４５°エルボを各々上流管端面と下流管端面とに嵌め込む。伸縮軸により互いに連結された第１頭部と第２頭部とが嵌め込まれることにより互いに芯出しされたエルボ端面間の距離を計測し、計測したエルボ端面間の距離に、エルボに差し込まれる直管の差し込み代の２倍の数値を加えて直管寸法が割り出される。
【先行技術文献】
【特許文献】
【０００４】
【特許文献１】特開２０１１−１７５８５号公報
【特許文献２】特開２００７−２８５４６７号公報
【発明の概要】
【発明が解決しようとする課題】
【０００５】
引用文献１または引用文献２に記載の器具では、上流管の軸心に設けられた一方のエルボと下流管の軸心に設けられた他方のエルボとの間に設置される直管寸法を割り出すことができるが、上流管の開口端から上流管の軸心に沿って一方のエルボまで設置される直管の寸法、下流管の開口端から下流管の軸心に沿って他方のエルボまで設置される直管の寸法を割り出すことができない。
【０００６】
さらに、引用文献１に記載の器具では、４５°エルボ以外のたとえば２２．５°エルボなどを用いる場合には使用することができない。
本発明の目的は、このような課題を解決するもので、上流管と下流管とをエルボを介して連結する場合に、上流管の開口部から下流管の開口部までの間に設けられる各々の直管寸法を配管サイズに応じて割り出すことができる配管寸法の割り出し具を提供することである。
【課題を解決するための手段】
【０００７】
この課題を解決するために請求項１に係る発明は、中心軸線が互いに交差する上流側配管と下流側配管とをエルボを介して直管で接続する配管において、接続される前記直管の長さを割り出すために用いられる配管寸法の割り出し具であって、
先端部が上流側配管の端部に接合され長手方向に伸縮可能な第１連結棒と、一端部が第１連結棒の連結端部と屈曲自在に連結され長手方向に伸縮可能な第２連結棒と、連結端部が第２連結棒の他端部と屈曲自在に連結されるとともに先端部が下流側配管に接合され長手方向に伸縮可能な第３連結棒とを備え、さらに
第１連結棒と第２連結棒との連結部に取り付けられ第１連結棒と第２連結棒とを第１の所定の角度をなすように固定する第１エルボゲージと、第２連結棒と第３連結棒との連結部に取り付けられ第２連結棒と第３連結棒とを第２の所定の角度をなすように固定する第２エルボゲージとを備え、
第１エルボゲージと第２エルボゲージとにはエルボに差し込まれる直管の端部の位置を示す目印が設けられている。
【０００８】
請求項２に係る発明は、目印が配管のサイズ毎に設けられている。
請求項３に係る発明では、目印はメジャーの先端部が係止可能な溝部である。
【発明の効果】
【０００９】
請求項１に係る発明によれば、上流管と下流管とをエルボを介して連結する場合に、上流管の開口部から下流管の開口部までの間に設置される各々の直管の寸法を配管サイズに応じて割り出すことができる。
【図面の簡単な説明】
【００１０】
【図１】本発明の一実施の形態に係る配管芯出し具の平面図である。
【図２】伸縮部の平面図である。
【図３】支持部材の斜視図である。
【図４】連結プレートの斜視図である。
【図５】第１連結棒と第２連結棒と第３連結棒とが連結された状態の平面図である。
【図６】連結部の斜視図である。
【図７】第１エルボゲージおよび第２エルボゲージの斜視図である。
【図８】第１エルボゲージを取り付けた連結部の斜視図である。
【図９】係合部の取り付け手順を示す図である。
【図１０】収納された配管芯出し具の平面図である。
【図１１】軸心が直角に交わる上流側配管と下流側配管とに用いる配管芯出し具の平面図である。
【発明を実施するための形態】
【００１１】
以下、本発明の第１の実施の形態について図１〜図１１に基づいて説明する。図１は本発明の一実施の形態に係る配管芯出し具１の平面図である。図２は伸縮部１６の平面図である。図３は支持部材１８の斜視図である。図４は連結プレート６の斜視図である。図５は第１連結棒２と第２連結棒３と第３連結棒４とが連結された状態の平面図である。図６は連結部１０の斜視図である。図７は第１エルボゲージ１１および第２エルボゲージ１３の斜視図である。図８は第１エルボゲージ１１を取り付けた連結部１０の斜視図である。図９は係合部８の取り付け手順を示す図である。
配管寸法の割り出し具１は、それぞれ棒状に形成され長手方向に伸縮可能な、第１連結棒２と第２連結棒３と第３連結棒４とを備える。第１連結棒２と第２連結棒３，および第２連結棒３と第３連結棒４とは、連結プレート６を介して平面内で互いに屈曲可能に連結されている。第１連結棒２の先端部には上流側配管７に係合する係合部８が設けられており、第３連結棒４の先端部には下流側配管９に係合する係合部８が設けられている。上流側配管７と下流側配管９とは、互いの軸心が水平方向にずれた状態で平行に配管されている。第１連結棒２と第２連結棒３との連結部１０には第１エルボゲージ１１が設けられ、第２連結棒３と第３連結棒４との連結部１２には第２エルボゲージ１３が設けられる。
【００１２】
第１連結棒２，第２連結棒３，第３連結棒４として、公知の伸縮軸が用いられる。詳細には、第１連結棒２，第２連結棒３，第３連結棒４は、３段の中空パイプが重なり合った状態でテレスコピックに挿入された伸縮部１６を備え、伸縮部１６の両端部には各々雄ねじ部１７が形成されている。第１連結棒２に用いられる伸縮部１６の連結端部側と、第２連結棒３に用いられる伸縮部１６の一端部側および他端部側と、第３連結棒４に用いられる伸縮部１６の連結端部側との雄ねじ部１７には、円柱状の支持部材１８が取り付けられる。
【００１３】
支持部材１８の一端部には雌ねじ部１４が軸心方向に形成されており、支持部材１８は、雌ねじ部１４が伸縮部１６の雄ねじ部１７に螺合される。支持部材１８の他端部には軸心方向の切り込み１９が形成されており、連結プレート６は、切り込み１９に嵌め込まれた状態で、孔部２０に螺合された蝶ボルト２９が孔部１５に挿通されて回動可能に支持される。
【００１４】
第１エルボゲージ１１と第２エルボゲージ１３とは金属製の板材を用いて形成され、くの字状の平面部２１を備える。くの字を形成する２つの辺２２，２２の中心線がなす角度は１３５°とされ、中心線が交差する中心部には丸孔２３が形成される。辺２２，２２の端部側面には各々下方に伸延する係合片２４，２４が一体的に形成される。
【００１５】
辺２２，２２の中心線上には幅方向に細長な複数の溝部２５ａ，２５ｂ，２５ｃが形成されている。溝部２５ａ，２５ｂ，２５ｃは、４５°エルボに差し込まれた直管の端面の位置を呼径毎に示している。溝部２５ａ，２５ｂ，２５ｃは長方形に形成されており、長方形を構成する４つの辺のうち係合片２４側に位置する長辺２６ａ，２６ｂ，２６ｃが直管端面の位置となる。なお、本実施の形態では長辺２６ａが呼径５０Ａ，７５Ａの直管端面の位置となり、長辺２６ｂが１５０Ａの直管端面の位置となり、長辺２６ｃが１００Ａ，２００Ａの直管端面の位置となる。
【００１６】
第１連結棒２と第２連結棒３との連結部１０に設けられる第１エルボゲージ１１は、係合片２４，２４が第１連結棒２の外面と第２連結棒３の外面とを各々抱いた状態で、第１連結棒２の他端部と連結プレート６とを連結する蝶ボルト２９に丸孔２３が嵌合されユリヤナット２７で固定される。このとき、第２連結棒３の支持部材１８と連結プレート６とは直線状に連結され、第１連結棒２と第２連結棒３とは、４５°エルボを介して接続されたときと同様に１３５°の角度をなす。
【００１７】
第２連結棒３と第３連結棒４との連結部１２に設けられる第２エルボゲージ１３は、係合片２４，２４が第２連結棒３の外面と第３連結棒４の外面とを各々抱いた状態で、第２連結棒３の他端部と連結プレート６とを連結する蝶ボルト２９に丸孔２３が嵌合されユリヤナット２７で固定される。このとき、第３連結棒４の支持部材１８と連結プレート６とは直線状に連結され、第２連結棒３と第３連結棒４とは、４５°エルボを介して接続されたときと同様に１３５°の角度をなす。
【００１８】
第１連結棒２の先端部と第３連結棒４の先端部との雄ねじ部１７，１７にはプラグ３０が螺合され、係合部８の先端はプラグ３０に嵌め込まれる。係合部８は、プラグ３０にワンタッチで嵌め込まれるソケット３２と、ソケット３２に連結ジョイント３３を介して取り付けられる止め栓３４とを備える。
【００１９】
連結ジョイント３３は六角柱状に形成されており、外面にスパナなどを係合させて回転可能である。止め栓３４は、ドーナッツ状に形成され上流側配管７または下流側配管９の開口部内面３５に当接する当接部３６を備えている。当接部３６は、開口部端面３８に当接するプレート３９と当接部３６の奥側に位置するプレート４０とで挟まれた状態で連結ジョイント３３にボルト止めされる。プレート３９を開口部端面３８に当接させた状態で連結ジョイント３３を回転すると、当接部３６がプレート３９とプレート４０とによって軸心方向に圧縮されて拡径し、開口部内面３５に圧接する。これによって上流側配管７の開口部に第１連結棒２の１端部側が係合され、下流側配管９の開口部に第３連結棒４の他端部側が係合される。なお、プラグ３０と、プラグ３０にワンタッチで嵌め込まれたソケット３２とは互いに回転自在である。
【００２０】
ここで配管芯出し具１の使用状態について説明する。図１０は配管芯出し具１が収納された状態を示す。配管芯出し具１は、第１エルボゲージ１１と第２エルボゲージ１３とが取り外され、さらに係合部８がプラグ３０から取り外されて、第１連結棒２，第２連結棒３，第３連結棒４が縮められ、第１連結棒２，第２連結棒３，第３連結棒４が互いに平行となる折り畳み状態で収納されている。
配管寸法の割り出し具１を使用するときには、互いに連結されている第１連結棒２，第２連結棒３，第３連結棒４をＺ状に伸ばす。第１エルボゲージ１１を連結部１０に取り付け、第２エルボゲージ１３を連結部１２に取り付ける。さらに第１連結棒２と第３連結棒４とのプラグ３０に、係合部８のソケット３２をワンタッチで取り付ける。プレート３９を開口部端面３８に当接させた状態で連結ジョイント３３を回転させて、当接部３６を開口部内面３５に圧接させる。このようにして、平行には配管された上流側配管７，下流側配管９のうちの上流側配管７の開口部に第１連結棒２の先端部を係合させ、下流側配管９の開口部に第３連結棒４の先端部を係合させる。
【００２１】
第２連結棒３の伸縮部１６を伸縮させて、第１連結棒２と第３連結棒４とを各々上流側配管７と下流側配管９との軸心上に設置することができる。さらに、第１連結棒２の伸縮部１６と第３連結棒４の伸縮部１６とを伸縮させて、第２連結棒３を所望の位置に設置することができる。たとえば上流側配管７と下流側配管９との軸心間に障害物がある場合であっても、障害物と干渉しない位置に第２連結棒３を設置することができる。
【００２２】
配管の呼径が５０Ａの場合には、第１エルボゲージ１１の５０Ａに対応する溝部２５ａのうち第２連結棒３側にある溝部２５ａにメジャーの端部を引っ掛け、第２エルボゲージ１３の５０Ａに対応する溝部２５ａのうち第２連結棒３側にある溝部２５ａの長辺２６ａまでの距離を測定する。これによって４５°エルボ間に設置され上流側配管７と下流側配管９との軸心間を連結する直管の長さを求めることができる。
【００２３】
さらに、第１エルボゲージ１１の５０Ａに対応する溝部２５ａのうち第１連結棒２側にある溝部２５ａにメジャーの端部を引っ掛け、上流側配管７の開口部端面３８までの距離を測定する。これによって、上流側配管７と４５°エルボ間を連結する直管の長さを求めることができる。さらに、第２エルボゲージ１３の５０Ａに対応する溝部２５ａのうち第３連結棒４側にある溝部２５ａにメジャーの端部を引っ掛け、下流側配管９の開口部端面３８までの距離を測定する。これによって、下流側配管９と４５°エルボ間を連結する直管の長さを求めることができる。
【００２４】
図１１は軸心が直角に交わる上流側配管７と下流側配管９とに用いる配管芯出し具１の平面図である。図１に示す第１エルボゲージ１１と第２エルボゲージ１３とのうち、たとえば第２エルボゲージ１３を逆向きに取り付けることによって、上流側配管７と下流側配管９との軸心が直角に交わる場合にも用いることができる。
【００２５】
本実施の形態においては上流側配管７と下流側配管９とを４５°エルボを用いて連結する場合について説明したが、これに限定されるものではない。たとえば第１エルボゲージと第２エルボゲージとの２つの辺のなす角度が１５７．５°であるエルボゲージを用いることによって簡単に２２．５°エルボに対応することができる。エルボゲージは、ユリヤナット２７を取り外して簡単に着脱することができる。配管芯出し具１は、ＰＥ管，鋼管，鋳鉄管などの多種類の配管に用いることができる。
【００２６】
このように、中心軸線が互いに交差する上流側配管７と下流側配管９とをエルボを介して直管で接続する配管において、接続される前記直管の長さを割り出すために用いられる配管寸法の割り出し具１は、先端部が上流側配管７の端部に接合され長手方向に伸縮可能な第１連結棒２と、一端部が第１連結棒２の連結端部と屈曲自在に連結され長手方向に伸縮可能な第２連結棒３と、連結端部が第２連結棒３の他端部と屈曲自在に連結されるとともに先端部が下流側配管９に接合され長手方向に伸縮可能な第３連結棒４とを備え、さらに第１連結棒２と第２連結棒３との連結部に取り付けられ第１連結棒２と第２連結棒３とを第１の所定の角度をなすように固定する第１エルボゲージ１１と、第２連結棒３と第３連結棒４との連結部に取り付けられ第２連結棒３と第３連結棒４とを第２の所定の角度をなすように固定する第２エルボゲージ１３とを備え、第１エルボゲージ１１と第２エルボゲージ１３とにはエルボに差し込まれる直管の端部の位置を示す目印である溝部２５ａ，２５ｂ，２５ｃが設けられているので、上流側配管７と下流側配管９とをエルボを介して連結する場合に、上流側配管７の開口部から下流側配管９の開口部までの間に設置される各々の直管の寸法を配管サイズに応じて割り出すことができる。
【符号の説明】
【００２７】
１    配管寸法の割り出し具
２    第１連結棒
３    第２連結棒
４    第３連結棒
６    連結プレート
７    上流側配管
８    係合部
９    下流側配管
１０，１２    連結部
１１    第１エルボゲージ
１３    第２エルボゲージ
１４    雌ねじ部
１５    孔部
１６    伸縮部
１７    雄ねじ部
１８    支持部材
１９    切り込み
２０    孔部
２１    平面部
２２    辺
２３    丸孔
２４    係合片
２５ａ，２５ｂ，２５ｃ    溝部
２６ａ，２６ｂ，２６ｃ    長辺
２７    ユリヤナット
２９    蝶ボルト
３０    プラグ
３１    係合部
３２    ソケット
３３    連結ジョイント
３４    止め栓
３５    開口部内面
３６    当接部
３８    開口部端面
３９，４０    プレート
【図１】
2014015993.tif 000003
【図２】
2014015993.tif 000004
【図３】
2014015993.tif 000005
【図４】
2014015993.tif 000006
【図５】
2014015993.tif 000007
【図６】
2014015993.tif 000008
【図７】
2014015993.tif 000009
【図８】
2014015993.tif 000010
【図９】
2014015993.tif 000011
【図１０】
2014015993.tif 000012
【図１１】
2014015993.tif 000013